(57)【要約】【課題】各種コンテンツを視聴可能な携帯端末装置を使用するユーザの視聴シーンに合わせて最適なコンテンツ情報を提供できるようにする。【解決手段】携帯端末装置１０は、携帯端末装置１０及び所定の外部機器におけるコンテンツの視聴履歴情報を記憶する視聴履歴情報記憶部６と、視聴履歴情報記憶部６に記憶された視聴履歴情報に基づいて、ユーザに視聴を推奨するコンテンツの情報を決定して表示部７に提示する制御部１と、携帯端末装置１０の位置情報を検出する位置情報検出部４と、現在時刻を検出する時刻情報検出部５とを有している。制御部１は、視聴履歴情報記憶部６から、携帯端末装置１０の位置情報と現在時刻とに関連する視聴履歴情報を抽出し、抽出した視聴履歴情報に基づいて、ユーザに視聴を推奨するコンテンツの情報を決定する。【選択図】図１
2013247544.tif 000002
【特許請求の範囲】
【請求項１】
表示部を有し、外部機器との通信を行う携帯端末装置であって、
該携帯端末装置及び所定の外部機器におけるコンテンツの視聴履歴情報を記憶する視聴履歴情報記憶部と、
該視聴履歴情報記憶部に記憶された視聴履歴情報に基づいて、ユーザに視聴を推奨するコンテンツの情報を決定して前記表示部に提示する制御部と、
該携帯端末装置の位置情報を検出する位置情報検出部と、
現在時刻を検出する時刻情報検出部とを有し、
前記制御部は、前記視聴履歴情報記憶部から、前記携帯端末装置の位置情報と現在時刻とに関連する視聴履歴情報を抽出し、該抽出した視聴履歴情報に基づいて、前記ユーザに視聴を推奨するコンテンツの情報を決定することを特徴とする携帯端末装置。
【請求項２】
請求項１に記載の携帯端末装置において、
外部機器から送信されたコンテンツを受信するコンテンツ受信部と、
該コンテンツ受信部が受信したコンテンツを視聴できるように出力する出力部と、
所定の外部機器から該所定の外部機器におけるコンテンツの視聴履歴情報を取得する視聴履歴情報受信部と、
を備え、
前記視聴履歴情報記憶部は、前記出力部により出力されたコンテンツの視聴履歴情報と、前記視聴履歴情報受信部により取得した視聴履歴情報とを統合して記憶することを特徴とする携帯端末装置。
【請求項３】
請求項１または２に記載の携帯端末装置において、
前記制御部は、前記視聴履歴情報として、前記コンテンツのジャンル情報、前記コンテンツを録画して視聴したかもしくは放送または配信されたコンテンツをリアルタイムで視聴したかを示す視聴方法、コンテンツの視聴場所、及びコンテンツの視聴時間帯を取得し、
前記ジャンル情報、前記視聴方法、前記視聴場所、及び前記視聴時間帯が共通の視聴履歴情報の数をカウントして前記視聴履歴情報記憶部に記憶し、
前記携帯端末装置の現在の位置情報と現在時刻とに一致する前記視聴場所及び前記視聴時間帯を有する視聴履歴情報の中から、前記カウントした数の多い視聴履歴情報を抽出し、該抽出した視聴履歴情報に基づいて、前記ユーザに視聴を推奨するコンテンツの情報を決定することを特徴とする携帯端末装置。
【請求項４】
請求項３に記載の携帯端末装置において、
前記制御部は、前記カウントした数の多い視聴履歴情報におけるコンテンツの前記ジャンル情報、及び前記視聴方法を、前記ユーザに視聴を推奨するコンテンツの情報として決定して前記表示部に表示することを特徴とする携帯端末装置。
【請求項５】
請求項１〜４のいずれか１に記載の携帯端末装置において、
前記制御部は、通信によって外部から電子番組表情報を取得し、
前記携帯端末装置の位置情報と現在時刻とに関連する視聴履歴情報を抽出した際に、該抽出した視聴履歴情報に含まれるコンテンツのジャンル情報、コンテンツを録画して視聴したかもしくは放送または配信されたコンテンツをリアルタイムで視聴したかを示す視聴方法、コンテンツの視聴場所、及びコンテンツの視聴時間帯が一致し、もしくは所定条件下で類似するコンテンツを前記電子番組表から抽出し、該電子番組表から抽出したコンテンツの情報を、前記ユーザに推奨するコンテンツの情報として決定することを特徴とする携帯端末装置。
【請求項６】
請求項１〜５のいずれか１に記載の携帯端末装置において、
前記制御部は、該携帯端末装置が取得したコンテンツを録画し、該録画したコンテンツの録画リストを生成して記憶するともに、通信によって所定の録画装置から該録画装置に録画されているコンテンツの録画リスト情報を取得し、
前記携帯端末装置の位置情報と現在時刻とに関連する視聴履歴情報を抽出した際に、該抽出した視聴履歴情報に含まれるコンテンツのジャンル情報、コンテンツを録画して視聴したかもしくは放送または配信されたコンテンツをリアルタイムで視聴したかを示す視聴方法、コンテンツの視聴場所、及びコンテンツの視聴時間帯が一致し、もしくは所定条件下で類似するコンテンツを各前記録画リストを参照して抽出し、該抽出したコンテンツの情報を、前記ユーザに推奨するコンテンツの情報として決定することを特徴とする携帯端末装置。
【発明の詳細な説明】
【技術分野】
【０００１】
本発明は、携帯端末装置、より詳細には、各種コンテンツを取得して視聴したり、外部機器を操作して外部機器でコンテンツを視聴できるようにした携帯端末装置に関する。
【背景技術】
【０００２】
スマートフォンなどを例とする携帯端末装置では、いろいろなソースから配信もしくは取得されるコンテンツを視聴することができる。例えば、テレビ放送波を受信してテレビコンテンツを視聴したり、インターネットを介してＷｅｂページとして配信される各種コンテンツを視聴することができる。また、無線ＬＡＮや有線ＬＡＮ、接続ケーブル等を介してテレビや録画再生装置（レコーダ）、ＰＣ（personal computer）、カメラ、ＭＰ−３プレーヤなどのオーディオ機器や家電機器と接続し、これら機器に記録保持された各種コンテンツを携帯端末装置で視聴するなどのシーンも見られる。
【０００３】
携帯端末装置でコンテンツを視聴する際に、携帯端末装置におけるコンテンツの視聴履歴に基づいて、その携帯端末装置に対してお薦めのコンテンツに関する情報提供を行うようにした技術が知られている。
【０００４】
例えば、特許文献１には、テレビの視聴実態を簡易な手法で精度よく把握し、テレビの視聴実態に応じた適切な情報配信を行うようにした技術が開示されている。
特許文献１のコンテンツ配信サーバは、携帯端末にて簡易に得られた録画予約履歴及びリモコン操作履歴、並びにＷＥＢページアクセス履歴及びＷＥＢページ書込み内容に基づいて算出された視聴信頼度と基準値とを比較することで、対象テレビ番組が視聴されたか否かを判定する。そして視聴されたと判定された場合、録画予約履歴、リモコン操作履歴及びＷＥＢページ書込み内容に基づいて算出されたリアルタイム視聴信頼度と基準値とを比較することで、対象テレビ番組がリアルタイムに視聴されたか否かを判定する。そして、コンテンツ配信サーバは、判定結果に応じて、対象テレビ番組に関するリアルタイムコンテンツまたは非リアルタイムコンテンツを携帯端末へ配信する。
【先行技術文献】
【特許文献】
【０００５】
【特許文献１】特開２００８−１０１５３８号公報
【発明の概要】
【発明が解決しようとする課題】
【０００６】
例えば、携帯端末装置を使用してユーザが各種のコンテンツを視聴する場合、さまざまなシーンでさまざまなコンテンツを視聴することが考えられる。例えば、自宅の寝室ではスマートフォンなどの携帯端末装置でリビングにある録画再生装置からＤＬＮＡ（Digital Living Network Alliance）（登録商標）等の家庭内のＬＡＮ技術を介して録画しておいたドラマの放送番組を視聴したり、通勤や通学の電車の中では、録画再生装置から転送しておいた英会話の放送番組を視聴したり、あるいは職場では、ＩＳＤＢ−Ｔｍｍで配信され、携帯端末装置で受信した電子書籍コンテンツや番組コンテンツを視聴する、などのシーンが考えられる。
ユーザが視聴するこれらのコンテンツは、その視聴場所や時間帯等の視聴シーンに応じて、その視聴内容に傾向が生じることがある。例えば、職場などではリラックスしたお笑い番組などは視聴されるケースは通常は少なく、自宅のリビングでは、ドラマやバラエティなどの番組がよく視聴されるといえる。
【０００７】
従って、単に携帯端末装置における視聴履歴等のみに基づいて、お薦めのコンテンツの情報を提供する場合、ユーザの視聴シーンによっては、必要のないコンテンツが推奨されることがあり、必ずしも常に適切なコンテンツを選択することができない、という問題が生じる。
特許文献１に記載の技術では、録画予約履歴やリモコン操作履歴、ＷＥＢページアクセス履歴などに基づいて、その対象テレビ番組に関する情報を携帯端末に配信するようにしており、この場合にもユーザの視聴場所や視聴時間帯などの視聴シーンを考慮していないため、上記と同様の問題が生じる。
【０００８】
本発明は、上述のごとき実情に鑑みてなされたものであり、各種コンテンツを視聴可能な携帯端末装置を使用するユーザの視聴シーンに合わせて最適なコンテンツ情報を提供できるようにした携帯端末装置を提供することを目的とする。
【課題を解決するための手段】
【０００９】
上記課題を解決するために、本発明の第１の技術手段は、表示部を有し、外部機器との通信を行う携帯端末装置であって、該携帯端末装置及び所定の外部機器におけるコンテンツの視聴履歴情報を記憶する視聴履歴情報記憶部と、該視聴履歴情報記憶部に記憶された視聴履歴情報に基づいて、ユーザに視聴を推奨するコンテンツの情報を決定して前記表示部に提示する制御部と、該携帯端末装置の位置情報を検出する位置情報検出部と、現在時刻を検出する時刻情報検出部とを有し、前記制御部は、前記視聴履歴情報記憶部から、前記携帯端末装置の位置情報と現在時刻とに関連する視聴履歴情報を抽出し、該抽出した視聴履歴情報に基づいて、前記ユーザに視聴を推奨するコンテンツの情報を決定することを特徴としたものである。
【００１０】
第２の技術手段は、第１の技術手段において、外部機器から送信されたコンテンツを受信するコンテンツ受信部と、該コンテンツ受信部が受信したコンテンツを視聴できるように出力する出力部と、所定の外部機器から該所定の外部機器におけるコンテンツの視聴履歴情報を取得する視聴履歴情報受信部と、を備え、前記視聴履歴情報記憶部は、前記出力部により出力されたコンテンツの視聴履歴情報と、前記視聴履歴情報受信部により取得した視聴履歴情報とを統合して記憶することを特徴としたものである。
【００１１】
第３の技術手段は、第１または２の技術手段において、前記制御部は、前記視聴履歴情報として、前記コンテンツのジャンル情報、前記コンテンツを録画して視聴したかもしくは放送または配信されたコンテンツをリアルタイムで視聴したかを示す視聴方法、コンテンツの視聴場所、及びコンテンツの視聴時間帯を取得し、前記ジャンル情報、前記視聴方法、前記視聴場所、及び前記視聴時間帯が共通の視聴履歴情報の数をカウントして前記視聴履歴情報記憶部に記憶し、前記携帯端末装置の現在の位置情報と現在時刻とに一致する前記視聴場所及び前記視聴時間帯を有する視聴履歴情報の中から、前記カウントした数の多い視聴履歴情報を抽出し、該抽出した視聴履歴情報に基づいて、前記ユーザに視聴を推奨するコンテンツの情報を決定することを特徴としたものである。
【００１２】
第４の技術手段は、第３の技術手段において、前記制御部は、前記カウントした数の多い視聴履歴情報におけるコンテンツの前記ジャンル情報、及び前記視聴方法を、前記ユーザに視聴を推奨するコンテンツの情報として決定して前記表示部に表示することを特徴としたものである。
【００１３】
第５の技術手段は、第１〜４のいずれか１の技術手段において、  前記制御部は、通信によって外部から電子番組表情報を取得し、前記携帯端末装置の位置情報と現在時刻とに関連する視聴履歴情報を抽出した際に、該抽出した視聴履歴情報に含まれるコンテンツのジャンル情報、コンテンツを録画して視聴したかもしくは放送または配信されたコンテンツをリアルタイムで視聴したかを示す視聴方法、コンテンツの視聴場所、及びコンテンツの視聴時間帯が一致し、もしくは所定条件下で類似するコンテンツを前記電子番組表から抽出し、該電子番組表から抽出したコンテンツの情報を、前記ユーザに推奨するコンテンツの情報として決定することを特徴としたものである。
【００１４】
第６の技術手段は、第１〜５のいずれか１の技術手段において、前記制御部は、該携帯端末装置が取得したコンテンツを録画し、該録画したコンテンツの録画リストを生成して記憶するともに、通信によって所定の録画装置から該録画装置に録画されているコンテンツの録画リスト情報を取得し、前記携帯端末装置の位置情報と現在時刻とに関連する視聴履歴情報を抽出した際に、該抽出した視聴履歴情報に含まれるコンテンツのジャンル情報、コンテンツを録画して視聴したかもしくは放送または配信されたコンテンツをリアルタイムで視聴したかを示す視聴方法、コンテンツの視聴場所、及びコンテンツの視聴時間帯が一致し、もしくは所定条件下で類似するコンテンツを各前記録画リストを参照して抽出し、該抽出したコンテンツの情報を、前記ユーザに推奨するコンテンツの情報として決定することを特徴としたものである。
【発明の効果】
【００１５】
本発明によれば、各種コンテンツを視聴可能な携帯端末装置を使用するユーザの視聴シーンに合わせて最適なコンテンツ情報を提供できるようにした携帯端末装置を提供することができる。
【図面の簡単な説明】
【００１６】
【図１】本発明に係る携帯端末装置の機能構成の一例を説明するためのブロック図である。
【図２】本発明に係る携帯端末装置における処理の一例を説明するためのフローチャートである。
【図３】図２に示す視聴履歴情報の取得処理を更に説明するための図である。
【図４】図２に示す視聴履歴情報の取得処理の他の例を説明するための図である。
【図５】携帯端末装置が特定のテレビから取得した視聴履歴情報に基づいて作成したテレビの視聴履歴情報のテーブルの一例を示す図である。
【図６】携帯端末装置で視聴された視聴履歴情報のテーブルの一例を示す図である。
【図７】携帯端末装置が特定のレコーダから取得した視聴履歴情報に基づいて作成した視聴履歴のテーブルの一例を示す図である。
【図８】携帯端末装置をリモコンとして使用して特定のテレビを操作したときの視聴履歴情報に基づいて作成した視聴履歴テーブルの一例を示す図である。
【図９】携帯端末装置におけるＷｅｂ動画の視聴履歴情報に基づいて作成した視聴履歴情報のテーブルの一例を示す図である。
【図１０】携帯端末装置で取得した複数の視聴履歴情報のテーブルをマージして、一つのマージテーブルとしたときの例を示す図である。
【図１１】視聴履歴情報における視聴時間を分類するための視聴時間分類テーブルの一例を示す図である。
【図１２】携帯端末装置で作成する分類カウント表の一例を示す図である。
【図１３】図２の分類カウント表の作成処理を更に説明するためフローチャートである。
【図１４】図２の優先度算出処理を更に説明するためのフローチャートである。
【図１５】携帯端末装置におけるお薦めコンテンツの表示例を示す図である。
【図１６】携帯端末装置におけるお薦めコンテンツの他の表示例を示す図である。
【図１７】ユーザの視聴履歴のパターンの例を示す図である。
【発明を実施するための形態】
【００１７】
図１は、本発明に係る携帯端末装置の機能構成の一例を説明するためのブロック図であり、例えばスマートフォンとして構成されるものである。
携帯端末装置１０は、制御部１、通信部２、テレビ受信部３、時刻情報検出部４、位置情報検出部５、視聴履歴情報記憶部６、表示部７、操作部８、及びスピーカ／マイク９を備えている。
【００１８】
制御部１は、携帯端末装置１０の各部を制御するもので、ＣＰＵ，ＲＯＭ、ＲＡＭを備える。ＲＯＭには、携帯端末装置１０のシステム全体を管理するＯＳ（operation system）や、各種機能を実現するソフトウェアが記録され、ＣＰＵの制御により適宜これらが読み出されて実行される。
【００１９】
通信部２は、外部機器と通信するためのインタフェース部であり、電話の通話機能を実現するために基地局との通信を行う機能、無線／有線ＬＡＮに接続してネットワークを通じてインターネット上の配信サーバ等からのＷｅｂページ等の配信を受ける機能、無線／有線ＬＡＮに接続してテレビやレコーダ、カメラなどのオーディオ機器や家電機器と通信を行う機能、等を有する。特にＷｉＦＩ（wireless fidelity）（登録商標）による通信機能により機器間の相互接続機能の確保された通信を行うことができる。あるいはBluetooth（登録商標）のようなデジタル機器用の無線通信機能を備えることができる。
また、ＬＡＮを用いた通信機能に関して、ホームネットワーク（家庭内ＬＡＮ）に接続された機器やコンテンツの相互接続方式であるＤＬＮＡ認定の通信機能を備えることで、ＤＬＮＡ認定機器との間でコンテンツの共有などを容易に行うことができる。
【００２０】
例えば通信部２は、スマートフォン用のテレビリモコンアプリケーションをダウンロードしておくことにより、無線ＬＡＮを介してテレビと通信を行ってリモコン機能を実現したり、あるいはテレビが保持している視聴履歴情報等を携帯端末装置１０にて取得することができる。通信部２は、外部機器から送信されたコンテンツを受信する本発明のコンテンツ受信部と、所定の外部機器からコンテンツの視聴履歴を取得する本発明の視聴履歴情報受信部とを実現する。また本発明のコンテンツ受信部は、テレビ受信部３によっても実現される。
【００２１】
テレビ受信部３は、テレビ放送波を受信する機能を有する。ここでは地上デジタル放送でＩＳＤＢ−Ｔ方式の一部に基づいて放送されているワンセグを受信できる機能や、ＩＳＤＢ−Ｔｍｍ方式に基づいて放送されるモバイルマルチ放送を受信できる機能を付与することができる。テレビ受信部３で受信した放送番組や通信部２でインターネットや外部機器から取得したコンテンツは携帯端末装置１０の内蔵メモリやｍｉｃｒｏＳＤ，ｍｉｃｒｏＳＤＨＣメモリーカードのような記憶手段に蓄積することができる。
【００２２】
時刻情報検出部４は、内蔵する時計から現在時刻を取得する。なお、内蔵する時計は携帯電話のキャリヤが運営する基地局と同期して補正されたものを用いることができる。
位置情報検出部５は、携帯端末装置１０の現在の位置を検出する。現在位置情報の検出にはＩＭＥＳ（Indoor MEssaging System）の技術を適用することができる。ＩＭＥＳは、ＧＰＳ（Global Positioning System）衛星と同じ電波形式を用いた屋内ＧＰＳ送信機（モジュール）を設置し、送信機から位置情報を送信する。これにより受信機側では屋外で行われる時差の計算を行わず、屋内ＧＰＳ送信機の位置情報を受信機の位置としてそのまま受け取り、受信機の屋内外でのシームレスな利用を可能にしたものとされる。ＩＭＥＳの利用により、例えば測位誤差が１ｍ以内で、室内での位置測位が可能となる。
なお、位置情報検出部５における位置検出の方式としては、他の同様の測位技術が適用できればこれを適用することができる。
【００２３】
視聴履歴情報記憶部６は、携帯端末装置１０で視聴されたコンテンツの視聴履歴を記憶する。ここでは携帯端末装置１０で取得され視聴されたコンテンツ全般の視聴履歴を記憶することができる。例えば、ＤＬＮＡ認定の通信機能等により通信部２を介して取得したコンテンツ、テレビ受信部３で受信したワンセグもしくはＩＳＤＢ−Ｔｍｍによる放送番組、携帯端末装置１０がインターネット上の配信サーバから取得したＷｅｂページのコンテンツ、等の視聴履歴を記憶することができる。また、携帯端末装置１０では、テレビやレコーダ等の外部機器で記録された視聴履歴情報を取得して、視聴履歴情報記憶部６に記憶させることができる。このときに、携帯端末装置１０で記録された視聴履歴と、外部機器で記録された視聴履歴を統合してマージテーブルとして記憶しておくことができる。
【００２４】
表示部７は、コンテンツ情報や各種情報を表示するもので、液晶パネルや有機ＥＬディスプレイを搭載したものを適用することができる。
操作部８は、表示部７と一体的に構成され、タッチパネル方式、あるいは近接センサー方式によりユーザ操作を可能とする。タッチパネル方式は、抵抗膜方式、超音波方式、静電容量方式、光学式などが知られている。一方、近接センサー方式では、誘導型、静電容量型、超音波型、電磁波型、赤外線型などによるセンサーが使用されている。また、操作部８として、キー入力により操作を行うキー入力部を設けることができる。
スピーカ／マイク９は、音声を出力するスピーカと、音声入力を行うマイクとから構成されている。コンテンツを視聴できるように出力する本発明の出力部は、表示部７とスピーカのいずれかまたは両方によって実現される。
【００２５】
上記の構成により、制御部１は、視聴履歴情報記憶部６を参照して携帯端末装置１０におけるコンテンツの視聴履歴情報を取得する。また、通信部２の通信機能等を使用して、特定のレコーダやテレビなどに記録保持されている視聴履歴情報を取得する。視聴履歴情報は、例えばＬＡＮやBluetooth等の通信機能を利用して取得する。そして、取得した複数の視聴履歴情報をマージして視聴履歴情報のマージテーブルを作成する。このマージテーブルは、その携帯端末装置１０を使用するユーザに関する視聴履歴情報を統合して示したものとなり、このマージテーブルを使用して、ユーザの行動に応じて最適と考えられるコンテンツをお薦めコンテンツとして提示する。
【００２６】
そして制御部１は、時刻情報検出部４から現在の時刻情報を取得し、位置情報検出部５から現在の携帯端末装置１０の位置情報を取得する。また、制御部１は、通信部２を介してネットワークに接続し、ネットワーク上に提供されているＥＰＧ（Electronic Program Guide）を取得する。また、携帯端末装置１０で保持されている録画リストや、レコーダなどの外部機器で保持されている録画リストを取得し、これら現在時刻情報、位置情報、視聴履歴情報のマージテーブル、ＥＰＧ情報、及び録画リスト等を使用して、ユーザに提示するお薦めコンテンツを抽出し、表示部７に表示させる。
【００２７】
ここでは、携帯端末装置１０は、現在時刻と位置情報とから、その条件に一致する視聴履歴情報であって、過去の視聴履歴の頻度が高い視聴履歴情報をマージテーブルから抽出し、その視聴履歴情報に合致し、もしくは所定条件下で類似する番組情報をＥＰＧ、もしくは取得した録画リストから検索してお薦めコンテンツとして抽出することができる。そして制御部１は、操作部８に対して、ユーザによる出力指示が入力されれば、表示させたお薦めコンテンツの出力を開始する。ユーザがお薦めコンテンツの出力を選択しない場合には、さらに他のお薦めコンテンツを提示することもできる。
【００２８】
図２は、本発明に係る携帯端末装置における処理の一例を説明するためのフローチャートで、携帯端末装置が待ち受け状態であるときにお薦めコンテンツの情報を提示させるときの制御部における処理例を示すものである。ここでは図１の構成を参照しながら説明する。
まず、制御部１は、所定の優先序数を初期化してクリアする（ステップＳ１）。そして制御部１は、視聴履歴情報記憶部６から視聴履歴情報を取得する。また、通信部２の通信機能を使用して、特定のテレビやレコーダから視聴履歴情報を取得する（ステップＳ２）。制御部１は、取得した各視聴履歴情報をマージしてマージテーブルを作成する（ステップＳ３）。次に制御部１は、通信部２によりネットワークからＥＰＧ情報を取得するとともに、レコーダと通信を行ってレコーダに記録保持されているコンテンツの録画リストを取得する（ステップＳ４）。このとき、携帯端末装置で保持されている録画リストも取得するようにしてもよい。
【００２９】
次に制御部１は、位置情報検出部５から携帯端末装置１０の現在の位置情報を取得し、時刻情報検出部４から現在の時刻情報を取得する（ステップＳ５）。そして、現在の位置情報に基づいて、携帯端末装置１０の場所移動があるか否を判断する（ステップＳ６）。場所移動の判定は、例えば前回、制御部１が位置情報検出部５から取得した位置情報と、今回取得した位置情報とを比較して、所定距離以上位置情報が動いたときに、場所移動があったものと判断することができる。
【００３０】
制御部１は、携帯端末装置１０の場所移動があれば、分類カウント表を作成する（ステップＳ７）。分類カウント表とは、視聴履歴情報をマージしたマージテーブルから、ジャンル、視聴方法、視聴場所、時間帯分類が同一の視聴履歴情報をカウントし、カウント数の多い順に視聴履歴情報を並べたものである。これにより、同一の場所で同一の時間帯に、そのユーザがどのようなコンテンツをどのように視聴していたかの情報がわかるようになる。
【００３１】
次に制御部１は、優先序数をクリアし（ステップＳ８）、優先度算出処理を行う（ステップＳ９）。優先度算出処理は、分類カウント表に基づいて、現在の携帯端末装置の位置及び現在時刻から、お薦めコンテンツとして提示すべき視聴履歴情報の優先度を算出する処理である。またステップＳ６で場所移動がなかった場合には、すでに過去に作成されている分類カウント表に基づいて優先度算出処理を行う。
そして制御部１は、優先度算出処理によって算出したお薦めコンテンツの情報を表示部７に表示させる（ステップＳ１０）。
【００３２】
制御部１は、表示したお薦めコンテンツの情報に対して操作部８に対する操作入力を待ち、操作入力による指示を判断する（ステップＳ１１）。そして操作入力が、お薦めコンテンツを視聴（出力）する指示であれば、表示部７に表示したお薦めコンテンツを再生して出力する（ステップＳ１２）。
【００３３】
また、操作入力がお薦めコンテンツの表示を終了する指示であれば、お薦めコンテンツの情報表示ではなくその他の処理を行う（ステップＳ１４）。また、操作入力が表示されたお薦めコンテンツではなく、他のお薦めコンテンツを表示させる指示であれば、優先序数を１つＵＰし（ステップＳ１３）、ステップＳ５に戻って現在位置情報の取得処理からの処理を繰り返す。
【００３４】
上記の例では、あまり変化しない視聴履歴情報やＥＰＧ情報、レコーダ等の録画リストの情報の取得は、一旦取得しておけば優先序数をＵＰした後も再取得する必要はない。
また、情報端末装置を携行するユーザが外出先にいて、テレビやレコーダからの視聴履歴情報が取得できない場合には、すでに蓄積されている視聴履歴情報を使用してお薦めコンテンツを決定して表示させるようにする。
【００３５】
図３は、図２に示す視聴履歴情報の取得処理を更に説明するための図で、携帯端末装置１０が特定のテレビと通信を行って、テレビから視聴履歴情報を取得するときの処理例を示すものである。
ここではまず携帯端末装置１０は、通信部２を使用して特定のテレビと通信を行う（ステップＳ２１）。テレビでは、放送番組等の視聴履歴を視聴履歴情報として蓄積している。ここで携帯端末装置１０は、テレビとの通信により、新しい視聴履歴情報がテレビにあるかどうかを判別する（ステップＳ２２）。新しい視聴履歴情報がなければ視聴履歴情報の取得処理を終了する。
【００３６】
一方、テレビに新しい視聴履歴情報があれば、携帯端末装置１０は、テレビから視聴履歴情報を取得する（ステップＳ２３）。そして、携帯端末装置１０でテレビの視聴履歴情報のテーブルがあるか否かを判断する（ステップＳ２４）。携帯端末装置１０にテレビの視聴履歴情報のテーブルになければ、新規テーブルを作成し（ステップＳ２６）、取得した視聴履歴情報を新規作成したテレビの視聴履歴テーブルに記憶する（ステップＳ２５）。また、ステップＳ２４で、テレビの視聴履歴情報のテーブルがすでにある場合、取得した視聴履歴情報を、テレビの視聴履歴情報のテーブルに記憶させる（ステップＳ２５）。
【００３７】
図４は、図２に示す視聴履歴情報の取得処理の他の例を説明するための図で、携帯端末装置１０で記録した視聴履歴情報を取得するときの処理例を示すものである。
ここではまず携帯端末装置１０の制御部１は、自身の視聴履歴情報記憶部６に新しい履歴情報があるかどうかを判別する（ステップＳ３１）。自身の履歴情報は、例えばテレビ受信部３で受信したワンセグ等のテレビ放送波の視聴履歴情報や、ＤＬＮＡ認定の通信機能により、テレビやレコーダ等の外部機器から取得して携帯端末装置で視聴したときの視聴履歴情報、あるいはＷｅｂページなどをネットワーク経由で取得して携帯端末装置で視聴したときの履歴情報等が該当する。ここで視聴履歴情報記憶部６に新しい視聴履歴情報がなければ視聴履歴情報の取得処理を終了する。
【００３８】
一方、視聴履歴情報記憶部６に新しい視聴履歴情報があれば、制御部１は、視聴履歴情報記憶部６から視聴履歴情報を取得する（ステップＳ３２）。そして、携帯端末装置１０で携帯端末装置自身の視聴履歴情報のテーブルがあるか否かを判断する（ステップＳ３３）。携帯端末装置自身の視聴履歴情報のテーブルがなければ、新規テーブルを作成し（ステップＳ３５）、取得した視聴履歴情報を新規作成したテーブルに記憶する（ステップＳ３４）。また、ステップＳ３３で、視聴履歴情報のテーブルがすでにある場合、取得した視聴履歴情報を、すでにある視聴履歴情報のテーブルに記憶させる（ステップＳ３４）。
【００３９】
図５は、携帯端末装置が特定のテレビから取得した視聴履歴情報に基づいて作成したテレビの視聴履歴情報のテーブルの一例を示す図である。
視聴履歴情報のテーブルには、テレビ（ＴＶ）の視聴履歴の識別情報を示す機器ＩＤ、視聴指示を行ったユーザ情報、及び放送波をリアルタイムで視聴したか等を示す視聴種別情報を含む。
【００４０】
また、上記視聴履歴情報のテーブルには、テレビが直接に操作され、放送波を復調して再生したか、もしくはＤＬＮＡ認定の通信機能によりテレビが操作され、テレビにて受信した放送波を視聴したか、あるいはテレビに接続されたレコーダ等からテレビがコンテンツを取得して視聴したか、等を示す機器情報を含む。ＤＬＮＡ認定の通信機能によりテレビが操作される場合には、携帯端末装置１０がテレビを操作する場合、あるいは他の機器がテレビを操作する場合などがあり、適宜その情報を機器情報として記録する。また、機器情報として、携帯端末装置１０とテレビとを有線ケーブルで接続し、携帯端末装置１０からの操作指示によりテレビにて放送波やコンテンツ等の再生が行われたときの情報も含ませることができる。
【００４１】
さらに上記視聴履歴情報のテーブルには、放送波等をリアルタイムで視聴するリアルタイム視聴等の種別を示す視聴方法情報、地上デジタルやＢＳ等の視聴チャンネル情報、視聴された番組名情報、視聴された番組のジャンル情報、視聴された番組に係るキーワード情報、視聴時間帯情報、曜日情報、視聴場所情報等を含んでいる。視聴場所情報としては、屋内外での精度のよい位置計測が可能なＩＭＥＳを利用することで、自宅リビングや自宅寝室などの特定の部屋や場所の情報を記録することができる。また、キーワード情報は、ＥＰＧの番組表や放送番組に含まれるデータ等から取得することができる。
【００４２】
図６は、携帯端末装置で視聴された視聴履歴情報のテーブルの一例を示す図である。
視聴履歴情報は、携帯端末装置１０おける視聴履歴の識別情報を示す機器ＩＤ、視聴指示を行ったユーザ情報、視聴したコンテンツ種別とリアルタイムで視聴したか等を示す視聴種別情報を含む。視聴種別情報には、例えば、テレビ受信部３で受信したワンセグやＩＳＤＢ−Ｔｍｍ等の放送番組を携帯端末装置１０の内蔵メモリやｍｉｃｒｏＳＤ，ｍｉｃｒｏＳＤＨＣメモリーカードのような記憶手段に蓄積して録画したときの情報等も含ませることができる。
また、上記テーブルには、携帯端末装置がテレビ受信部３によって受信したワンセグやＩＳＤＢ−Ｔｍｍ等の放送番組を視聴したか、もしくは携帯端末装置１０がＤＬＮＡ認定の通信機能によりテレビ（ＴＶ）やレコーダから取得したコンテンツを携帯端末装置１０で視聴したか等を示す機器情報を含む。
【００４３】
さらに上記視聴履歴情報のテーブルは、放送波等をリアルタイムで視聴するリアルタイム視聴等の種別を示す視聴方法情報、ワンセグやＩＳＤＢ−Ｔｍｍ等の視聴チャンネル情報、視聴された番組名情報、視聴された番組のジャンル情報、視聴された番組に係るキーワード情報、視聴時間帯情報、曜日情報、視聴場所情報等を含んでいる。
【００４４】
図７は、携帯端末装置が特定のレコーダから取得した視聴履歴情報に基づいて作成した視聴履歴のテーブルの一例を示す図である。
レコーダで記録されている視聴履歴情報は、レコーダの視聴履歴の識別情報を示す機器ＩＤ、視聴指示を行ったユーザ情報、及びレコーダで録画されたコンテンツを視聴したか等を示す視聴種別情報を含む。
また、上記テーブルには、レコーダに接続されたテレビでレコーダの録画コンテンツを視聴したか、レコーダに録画されたコンテンツを携帯端末装置１０に転送して携帯端末装置１０で視聴したか等を示す機器情報を含む。
【００４５】
さらに上記の視聴履歴情報のテーブルには、録画されたコンテンツであることを示す視聴方法情報、地上デジタルやＢＳ等の視聴チャンネル情報、視聴された番組名情報、視聴された番組のジャンル情報、視聴された番組に係るキーワード情報、視聴時間帯情報、曜日情報、視聴場所情報等を含んでいる。
【００４６】
図８は、携帯端末装置をリモコンとして使用して特定のテレビを操作したときの視聴履歴情報に基づいて作成した視聴履歴テーブルの一例を示す図である。
携帯端末装置１０では、テレビリモコンアプリケーションをダウンロードしておくことにより、例えば、無線ＬＡＮを介してテレビと通信を行うことでテレビのリモコン機能を実現することができる。ここでは、携帯端末装置１０でテレビのリモコン機能を使用したときの視聴履歴を携帯端末装置１０の視聴履歴情報記憶部６に記憶させておき、その視聴履歴情報に基づいて視聴履歴情報のテーブルを作成することができる。
【００４７】
携帯端末装置１０で記録されている視聴履歴情報は、リモコン機能を使用した視聴履歴の識別情報を示す機器ＩＤ、視聴指示を行ったユーザ情報、リモコン機能を使用してリアルタイムでテレビ放送波を視聴したか等を示す視聴種別情報、いずれのテレビで放送波等を視聴したかを示す機器情報を含む。
さらに上記視聴履歴情報のテーブルは、リアルタイムで視聴されたことを示す視聴方法情報、地上デジタルやＢＳ、有料方法等の視聴チャンネル情報、視聴された番組名情報、視聴された番組のジャンル情報、視聴された番組に係るキーワード情報、視聴時間帯情報、曜日情報、視聴場所情報等を含んでいる。
【００４８】
図９は、携帯端末装置におけるＷｅｂ動画の視聴履歴情報に基づいて作成した視聴履歴情報のテーブルの一例を示す図である。
携帯端末装置１０では、通信部２によりインターネット上のサーバに接続することで、Ｗｅｂページとして配信されている動画コンテンツを取得して視聴することができる。ここでは、携帯端末装置１０で視聴されたＷｅｂページの動画コンテンツの視聴履歴を視聴履歴情報記憶部６に記憶させておき、その視聴履歴情報に基づいて視聴履歴情報のテーブルを作成することができる。Ｗｅｂページの視聴履歴情報のテーブルには、Ｗｅｂアクセスアドレス情報、視聴した動画コンテンツのジャンル、キーワード情報、アクセス時間帯情報、曜日情報、アクセス場所情報等を含んでいる。
【００４９】
図１０は、携帯端末装置で取得した複数の視聴履歴情報のテーブルをマージして、一つのマージテーブルとしたときの例を示す図である。この例では、図５に示すテレビにおける視聴履歴情報のテーブルと、図６に示す携帯端末装置における視聴履歴情報のテーブルと、図７に示すレコーダにおける視聴履歴情報のテーブルと、図８に示す携帯端末装置でリモコン機能を使用したときの視聴履歴情報のテーブルとをマージしたマージテーブルを示している。ここではさらに図９のＷｅｂ動画の視聴履歴情報のテーブルをマージしたものとしてもよい。
【００５０】
携帯端末装置１０では、待ち受け状態のときにユーザに対するお薦めコンテンツを表示する際、上記のような視聴履歴情報のテーブルを取得して、これらをマージしたマージテーブルを作成する。このマージテーブルにより、携帯端末装置１０を使用するユーザが視聴する各種のコンテンツの視聴状態を一元的に管理・活用することができる。このマージテーブルは、分類カウント表の作成に使用される。
【００５１】
図１１は、視聴履歴情報における視聴時間を分類するための視聴時間分類テーブルの一例を示す図である。上記のような各視聴履歴情報のテーブルに記録された視聴時間帯は、図１１に示すような視聴時間分類テーブルに基づいて、視聴時間帯を分類することができる。ここでは、視聴時間帯を深夜、早朝、朝、午前中、午後、夕方、夜、のように分類している。視聴時間帯の分類はこの例に限定されず適宜定めることができる。
【００５２】
図１２は、携帯端末装置で作成する分類カウント表の一例を示す図である。図２に示すように、携帯端末装置１０では、現在位置情報を取得して場所移動があったと判断した場合、分類カウント表の作成を行う。
分類カウント表は、図１０に示す視聴履歴情報のマージテーブルと、図１１に示す視聴時間分類テーブルを使用して作成する。ここでは、同一のジャンル、視聴方法、視聴場所、視聴時間分類を持つ視聴履歴情報をカウントし、カウント数の多い順に視聴履歴情報を並べる。
【００５３】
例えば図１２の例では、マージした視聴履歴情報テーブルにおいて、ジャンルが“ドラマ”で、視聴方法が“録画”であり、視聴場所が“自宅リビング”であって、視聴時間帯の分類が“夕方”である視聴履歴情報のカウント数が“４”で最も多かった。また、ジャンルが“ニュース”で、視聴方法が“リアル（リアルタイム）”であり、視聴場所が“キッチン”であって、視聴時間帯の分類が“朝”である視聴履歴情報のカウント数が“３”で次に多かった。このように、分類カウント表では、所定の情報項目が共通の視聴履歴情報の数を分類し、その数をカウントして記録する。
【００５４】
図１３は、図２の分類カウント表の作成処理（ステップＳ７）を更に説明するためフローチャートである。
図１３に示すように、分類カウント表の作成に際しては、まず携帯端末装置１０では、分類カウント表のカウントをクリアして初期化する（ステップＳ４１）。そして、図１２に示すような視聴履歴マージテーブルから新しい視聴履歴情報を入手し（ステップＳ４２）、
図１２に示すような分類カウント表で分類が一致した視聴履歴情報のレコードをカウントアップする（ステップＳ４３）。次に視聴履歴情報のマージテーブルに新しい視聴履歴情報がまだあるか判別し（ステップＳ４４）、視聴履歴情報がまだあれば、ステップＳ４２に戻って新しい視聴履歴情報を入力する。一方、ステップＳ４４で新しい視聴履歴情報がなければ、分類カウント表の作成処理を終了する。
【００５５】
図１４は、図２の優先度算出処理（ステップＳ９）を更に説明するためのフローチャートである。
携帯端末装置１０の制御部１は、分類カウント表（図１２）から「優先序数」の候補を抽出する（ステップＳ５１）。優先序数はクリアされた状態から始まり、優先序数の候補として、まず携帯端末装置１０の現在の位置情報と、現在時刻が属する時間帯とに一致し、最もカウント数の多い視聴履歴情報を抽出する。
【００５６】
そして制御部１は、抽出した視聴履歴情報における視聴方法がリアルタイム視聴であるか否かを判別する（ステップＳ５２）。
視聴方法がリアルタイム視聴であれば、次に制御部１は、すでに取得してあるＥＰＧ情報を確認し（ステップＳ５３）、抽出した視聴履歴情報と同分類の放送番組が放送されているか否かを判断する（ステップＳ５４）。同分類の放送番組とは、例えばジャンル、視聴方法が一致する番組である。抽出した視聴履歴情報と同分類の放送番組が放送される場合には、その同分類の放送番組をお薦めコンテンツとして決定する（ステップＳ５６）。
【００５７】
一方、ＥＰＧ情報に同分類の放送番組がなければ、近い分類の放送があるか否かを判断する（ステップＳ５５）。近い分類の定義は予め定めておき、所定条件とする。例えば、ジャンルと視聴方法のいずれか一方が一致すれば近い分類とすることできる。あるいは、ジャンルがお笑いとバラエティとでは近い分類の放送番組であると判断するようにしてもよい。ここで近い分類の放送番組が放送されていれば、その放送番組をお薦めコンテンツとして決定する（ステップＳ５６）。
【００５８】
また、ステップＳ５５で近い分類の放送番組が放送されていなければ、優先序数をＵＰして(ステップＳ５７)、ステップＳ５１に戻る。優先序数がＵＰした場合、制御部１は、分類カウント表から、携帯端末装置１０の現在位置、現在時刻が属する時間帯が一致する視聴履歴情報であって、次にカウント数の多い視聴履歴情報のレコードを抽出し、同様の処理を行う。
【００５９】
ステップＳ５２で視聴方法がリアルタイムではなかった場合、携帯端末装置１０の制御部１は、特定のレコーダで録画されているコンテンツの録画リストを確認するとともに、携帯端末装置１０が受信したワンセグまたはＩＳＤＢ−Ｔｍｍにより受信したコンテンツや通信部２を介してインターネットや外部機器から取得したコンテンツを携帯端末装置に装着したｍｉｃｒｏＳＤメモリーカード等の記憶手段に蓄積したときの録画リストを確認する(ステップＳ５８)。
【００６０】
そして制御部１は、上記の録画リストの中に、抽出した視聴履歴情報と同分類の録画コンテンツがあるか否かを判断する（ステップＳ５９）。同分類の録画コンテンツとは、ジャンル、視聴方法が一致するコンテンツである。録画リストの中に、抽出した視聴履歴情報と同分類の録画コンテンツがあれば、その同分類の録画コンテンツをお薦めコンテンツとして決定する（ステップＳ５６）。
【００６１】
一方、録画リストの中に視聴履歴情報と同分類の録画コンテンツがなければ、近い分類の録画コンテンツがあるか否かを判断する（ステップＳ６０）。近い分類の定義は予め定めておき、所定条件とする。例えば、ジャンルと視聴方法のいずれか一方が一致すれば近い分類とすることできる。あるいは、ジャンルがお笑いとバラエティとでは近い分類の録画コンテンツであると判断するようにしてもよい。ここで近い分類の録画コンテンツが録画されていれば、その録画コンテンツをお薦めコンテンツとして決定する（ステップＳ５６）。また、近い分類の録画コンテンツがなければ、優先序数をＵＰして(ステップＳ６１)、ステップＳ５１に戻る。
【００６２】
上記の処理により、視聴履歴情報の分類カウント表から、携帯端末装置の位置と現在時刻に応じてタイミングよく最適な放送番組や録画コンテンツをお薦めコンテンツとして決定することができる。例えば、図１２の例の分類カウント表で優先序数が初期値の“０”である場合、夕方の時間帯で携帯端末装置が自宅リビングにあれば、録画ドラマの再生をお薦めコンテンツとして決定して表示する。表示されたお薦めコンテンツの再生をユーザが選択しなかった場合、優先序数がＵＰされて“＋１”となり、夕方の自宅リビングに該当するリアルタイムのドラムの視聴をお薦めコンテンツとして決定して表示させることができる。
【００６３】
図１５は、携帯端末装置におけるお薦めコンテンツの表示例を示す図である。
例えば分類カウント表から、ユーザＡが自宅キッチンで夕方の時間帯に視聴することが多いコンテンツは、携帯端末装置（例えばスマートフォン）１０のワンセグでリアルタイムに受信したニュース番組であるものとする。携帯端末装置１０では、表示部７の表示画面に現在位置情報１１、お薦めコンテンツ情報１２、他のお薦めコンテンツ情報１３を表示させることができる。この表示は、携帯端末装置１０における通常の待ち受け画面などにおいて表示させるようにすることができる。
【００６４】
現在位置情報１１には、ＩＭＥＳ等の技術を利用して取得した携帯端末装置１０の現在の位置情報に基づいて、携帯端末装置１０の位置を知らせる表示を行う。この例では、現在位置がユーザＡの自宅キッチンであることが示されている。
また、お薦めコンテンツ情報１２では、現在位置における携帯端末装置１０の視聴履歴情報等に基づいて、その場所に合ったコンテンツをお薦めする。このお薦めコンテンツ情報１２に記載する情報は、分類カウント情報から選択した最も優先序数の高い視聴履歴情報に基づき、同分類や類似分類のコンテンツとして抽出されたものである。
ここでは例えば、いつもキッチンで見ているワンセグの番組をユーザにお薦めコンテンツとして表示する。このとき、見るボタン１２ａと見ないボタン１２ｂとを表示させることで、その番組を見るか見ないかをユーザにより選択可能とする。ユーザが見るボタン１２ａを操作すれば、そのお薦めコンテンツの再生を開始させることができる。
【００６５】
他のお薦めコンテンツ情報１３は、分類カウント表から選択した次の優先序数の視聴履歴情報から決定された番組の情報である。他のお薦めコンテンツ情報１３は、お薦めコンテンツ情報１２の見ないボタン１２ｂが操作されたときに表示させることができる。また、他のお薦めコンテンツ情報１３は、お薦めコンテンツ情報１２と同時に表示させてもよいが、この場合、複数の優先序数についてのお薦めコンテンツの決定処理を予め実行しておく必要がある。他のお薦めコンテンツ情報１３に表示されているＧＯボタン１３ａをユーザが操作すると、他のお薦めコンテンツ情報１３に表示されたコンテンツの再生を開始させることができる。
【００６６】
他のお薦めコンテンツ情報１３は、上記のように分類カウント表に基づいて選択した視聴履歴情報から決定するものであるが、この他、全く他の番組コンテンツを他のお薦めコンテンツ情報として提示してもよい。例えば、レコーダで録画していた他のコンテンツを他のお薦めコンテンツとして提示したり、ユーザが直前に視聴していた番組コンテンツの続編を提示したり、あるいはユーザが途中で視聴をやめたコンテンツを提示したりしてもよい。あるいは、ユーザがこれまで見たことのないジャンルのコンテンツを他のお薦めコンテンツ情報１３として提示するようにしてもよい。
【００６７】
図１６は、携帯端末装置におけるお薦めコンテンツの他の表示例を示す図である。
例えば分類カウント表から、ユーザＡが通勤途中で朝の時間帯に視聴することが多いコンテンツは、携帯端末装置（例えばスマートフォン）１０がアクセスして取得したＷｅｂページのコンテツであるものとする。
携帯端末装置１０では、表示部７の表示画面に現在位置情報２１、第１のお薦めコンテンツ情報２２、第２のお薦めコンテンツ情報２３、他のお薦めコンテンツ情報２４を表示させる。この表示は、携帯端末装置１０における通常の待ち受け画面などにおいて表示させることができる。
【００６８】
現在位置情報２１では、ＩＭＥＳ等の技術を利用して取得した携帯端末装置１０の現在の位置情報に基づいて、携帯端末装置１０の位置を知らせる表示を行う。この例では、現在位置が通勤途中の電車の中であることが示されている。
第１のお薦めコンテンツ情報２２では、現在位置における携帯端末装置１０の視聴履歴情報等に基づいて、その場所に合ったコンテンツをお薦めコンテンツとして提示する。このお薦めコンテンツ情報２２に記載する情報は、分類カウント情報から選択した最も優先序数の高い視聴履歴情報に基づき、同分類や類似分類のコンテンツとして選択されたものである。ここでは例えば、通勤電車ではＷｅｂページの動画コンテンツのＵＲＬをユーザにお薦めする。ユーザは表示されたＵＲＬから、動画サイトにアクセスして動画を再生させることができる。
【００６９】
第２のお薦めコンテンツ情報２３では、現在携帯端末装置１０が電車の中にあることから、直前に記録された電車の中における視聴履歴情報に基づいてお薦めコンテンツを表示する。
この例では、直前の電車の中の視聴履歴情報から、ユーザが途中まで録画した番組をお薦めコンテンツとして表示する。そして見るボタン２３ａと見ないボタン２３ｂとを表示させることで、その番組を見るか見ないかをユーザにより選択可能とする。ユーザが見るボタン２３ａを操作すれば、その番組の再生を開始させることができる。
【００７０】
他のお薦めコンテンツ情報２４は、例えば、分類カウント表から選択した次の優先序数の視聴履歴情報から決定された番組の情報である。他のお薦めコンテンツ情報２４は、第２のお薦めコンテンツ情報２３の見ないボタン２３ｂが操作されたときに表示させることができる。また、他のお薦めコンテンツ情報２４は、各お薦めコンテンツ情報２２，２３と同時に表示させてもよいが、この場合、複数の優先序数についてのお薦めコンテンツ情報の決定処理を予め実行しておく必要がある。他のお薦めコンテンツ情報２４にも見るボタン２４ａと見ないボタン２４ｂとを表示させることで、そのコンテンツを見るか見ないかをユーザにより選択可能とする。ユーザが見るボタン２４ａを操作すれば、そのコンテンツの再生を開始させることができる。
【００７１】
図１７は、ユーザの視聴履歴のパターンの例を示す図である。
ユーザの視聴履歴としては様々な形態があるが、ユーザによってその視聴場所及び時間帯に応じて頻度の高い視聴パターンが得られる場合がある。この頻度は、分類カウント表を作成したときに上位の優先序数の情報として抽出される。
例えば図１７（Ａ）の例では、ユーザＡが寝室４０で視聴することが多いパターンは、レコーダ３０に録画されたコンテンツをスマートフォン（携帯端末装置１０）で視聴するパターンである。この例では、ＰＭ２２−２３時の時間帯に自宅の寝室４０で、レコーダ３０に録画されたコンテンツとして８ＣＨのドラマが視聴されている。レコーダ３０から携帯端末装置１０へは、ＤＬＮＡに認定された通信機能により転送が行われたり、直接ケーブルを接続して転送が行われたりする。
【００７２】
図１７（Ｂ）の例では、ユーザＡが毎週金曜日に電車の中で視聴することが多いパターンは、レコーダ３０に録画されたコンテンツをスマートフォン（携帯端末装置１０）で視聴するパターンである。この例では、ＰＭ１７−１８時の時間帯に電車５０の中で、レコーダ３０に録画されたコンテンツとして木曜日に地上デジタル２ＣＨで放送された英会話が視聴されている。レコーダ３０から携帯端末装置１０へは、ＤＬＮＡに認定された通信により転送が行われたり、直接ケーブルを接続して転送が行われたりする。
【００７３】
図１７（Ｃ）の例では、ユーザＡが自宅のリビングで視聴することが多いパターンは、スマートフォン（携帯端末装置１０）をリモコンとして使用してテレビ６０を視聴するパターンである。この例では、ＰＭ２０−２１時の時間帯に自宅のリビング７０で、テレビ６０で受信したお笑いの番組が視聴されている。
【００７４】
図１７（Ｄ）の例では、ユーザＡが職場で視聴することが多いパターンは、スマートフォン（携帯端末装置１０）でＩＳＤＢ−Ｔｍｍにより受信した電子書籍コンテンツを職場８０で視聴するパターンである。
【００７５】
携帯端末装置１０では、上記のようなユーザの行動に応じた特定の視聴パターンを視聴履歴情報から抽出し、そのときの携帯端末装置１０の場所と時間帯に応じて、視聴履歴情報から最も頻度が高いパターンに該当するコンテンツをお薦めコンテンツとして提示する。ユーザが提示されたコンテンツの再生を選択しなければ、視聴履歴情報からさらに次の頻度のパターンに基づき、お薦めコンテンツを提示することができる。
また、お薦めコンテンツはこの他、レコーダで録画していた他のコンテンツを薦めコンテンツとして提示したり、ユーザが直前に視聴していた番組の続編を提示したり、あるいはユーザが途中で視聴をやめた番組を提示するように定めてもよい。あるいは、ユーザがこれまで見たことのないジャンルのコンテンツをお薦め番組して提示するようにするなど、適宜定めることができる。こにより、各種コンテンツを視聴可能な携帯端末装置を使用するユーザの視聴シーンに合わせて最適なコンテンツ情報を提供できるようにした携帯端末装置を提供することができる。
【符号の説明】
【００７６】
１…制御部、２…通信部、３…テレビ受信部、４…時刻情報検出部、５…位置情報検出部、６…視聴履歴情報記憶部、７…表示部、８…操作部、９…スピーカ／マイク、１０…携帯端末装置、１１…現在位置情報、１２…お薦めコンテンツ情報、１２ａ…見るボタン、１２ｂ…見ないボタン、１３…他のお薦めコンテンツ情報、１３ａ…ＧＯボタン、２１…現在位置情報、２２…第１のお薦めコンテンツ情報、２３…第２のお薦めコンテンツ情報、２３ａ…見るボタン、２３ｂ…見ないボタン、２４…お薦めコンテンツ情報、２４ａ…見るボタン、２４ｂ…見ないボタン、３０…レコーダ、４０…寝室、５０…電車、６０…テレビ、７０…リビング、８０…職場。
【図１】
2013247544.tif 000003
【図２】
2013247544.tif 000004
【図３】
2013247544.tif 000005
【図４】
2013247544.tif 000006
【図５】
2013247544.tif 000007
【図６】
2013247544.tif 000008
【図７】
2013247544.tif 000009
【図８】
2013247544.tif 000010
【図９】
2013247544.tif 000011
【図１０】
2013247544.tif 000012
【図１１】
2013247544.tif 000013
【図１２】
2013247544.tif 000014
【図１３】
2013247544.tif 000015
【図１４】
2013247544.tif 000016
【図１５】
2013247544.tif 000017
【図１６】
2013247544.tif 000018
【図１７】
2013247544.tif 000019